(57)【特許請求の範囲】
【請求項１】
押圧によって作動する複数のスイッチと、前記スイッチと対向して設置されたスイッチパネルとを備え、前記スイッチパネルは、押圧によって可動しない板状のパネル本体と、前記各スイッチと対向するとともにパネル本体を部分的に抜き取ることでパネル本体と離間して設けられた複数のタッチ部と、前記パネル本体と前記各タッチ部とを複数箇所において互いに連結する複数のブリッジ部とから構成されたことを特徴とするタッチスイッチ装置。
【発明の詳細な説明】
【０００１】
【発明の属する技術分野】
本発明は、複数のスイッチを有するタッチスイッチ装置に関し、とくに使用環境に応じて使用スイッチと不使用スイッチとを容易に調整することができるタッチスイッチ装置に関するものである。
【０００２】
【従来の技術】
図１３は、多機能なインターホン装置のシステム構成を示すブロック図で、親機端末５１が玄関等に備える子機端末５２との接続のほかに、ドアー開閉センサ５３、ドアー鍵制御部５４、照明制御部５５、監視カメラ制御部５６および機器制御部５７と接続可能な状態を示している。
【０００３】
親機端末５１は、送話器および受話器を有するハンドセット５１ａ、ダイヤルボタンとして機能するテンキー部５１ｂ、前述した各制御部を制御する機能スイッチ部５１ｃおよびＬＣＤ（液晶表示装置）等からなるモニタ部５１ｄを備えている。
【０００４】
【発明が解決しようとする課題】
ところで、この種のインターホン装置にあっては、図１３に示すドアー開閉検知、ドアー鍵制御、照明制御、監視カメラ制御および機器制御部などは、インターホン装置を設置する家庭や事務所などの事情によって、必要な機能と不要な機能とが混在していた。
【０００５】
例えば、ある家庭では照明制御と監視カメラ制御の機能は必要だが、他の機能は不要であり、他の家庭ではドアー鍵制御と監視カメラ制御の機能は必要だが、他の機能は不要であるといった具合である。このため、メーカーとしては各使用者の様々な要求に応じることができるように、予め多品種のインターホン装置を用意しなければならないという課題があった。
【０００６】
本発明は、このような従来の課題を解決するためになされたもので、設置環境に応じて必要な機能と不要な機能とを容易に調整できるインターホン装置に用いて好適なタッチスイッチ装置を提供するものである。
【０００７】
【課題を解決するための手段】
本発明のタッチスイッチ装置は、押圧によって作動する複数のスイッチと、前記スイッチと対向して設置されたスイッチパネルとを備え、前記スイッチパネルは、押圧によって可動しない板状のパネル本体と、前記各スイッチと対向するとともにパネル本体を部分的に抜き取ることでパネル本体と離間して設けられた複数のタッチ部と、前記パネル本体と前記各タッチ部とを複数箇所において互いに連結する複数のブリッジ部とから構成されている。
【０００８】
この構成により、複数のブリッジ部の一部を残して他のブリッジ部を取り除くことで、残したブリッジ部を支点部としてタッチ部を押圧によって可動する構成にすることができる。このため、後加工で一のブリッジ部を残して他のブリッジ部を取り除くか取り除かないかで可動するタッチ部と可動しないタッチ部とを選択的に形成することとなる。したがって、スイッチパネルに形成した複数のタッチ部の中の一部のタッチ部を押圧によって可動しない構成とすることにより、対向するスイッチを作動できない不使用スイッチとすることができ、また、一部のタッチ部を押圧によって可動する構成とすることにより、対向するスイッチを作動できるので、複数のスイッチの中から使用するスイッチのみを作動させることができることとなる。
【０００９】
【発明の実施の形態】
以下、本発明の実施の形態について、図面を用いて説明する。
【００１０】
図１は、本発明によるタッチスイッチ装置の一実施の形態を示す構成図で、図（ａ）は正面図、図（ｂ）は側面図、図（ｃ）はスイッチ部の拡大図である。同図に示すように、本実施の形態によるタッチスイッチ装置１は、平板状のスイッチパネル１１の表面に、複数のタッチ部１２Ａ〜１２Ｄを形成し、スイッチパネル１１の裏面に各タッチ部１２Ａ〜１２Ｄに対応して、例えば小型の押しボタンスイッチからなるスイッチ１３Ａ〜１３Ｄを設けた構成となっている。
【００１１】
タッチ部１２Ａ〜１２Ｄはそれぞれスイッチパネル１１上に描いた、例えば四辺を有する正四角形を呈して構成し、四辺のうちの一辺（本実施の形態においては下辺）に非抜き取り部分をブリッジ部として残して全周を抜き取り、この各ブリッジ部を各支点部１２ａとしてタッチ部１２Ａ〜１２Ｄをそれぞれ下方に押すと、押し圧によってタッチ部１２Ａ〜１２Ｄがそれぞれ可動し、スイッチ１３Ａ〜１３Ｄの各スイッチボタン１３ａがそれぞれ押下されてスイッチ１３Ａ〜１３Ｄがそれぞれ作動する構成となっている。
【００１２】
また、複数のタッチ部１２Ａ〜１２Ｄのうち、例えばタッチ部１２Ａおよび１２Ｂをスイッチ１３Ａおよび１３Ｂにそれぞれ対応させてタッチスイッチとして機能するように使用し、スイッチ１３Ｃおよび１３Ｄは使用しない場合は、使用するタッチ部１２Ａおよび１２Ｂの表面にスイッチ１３Ａおよび１３Ｄに対応させて機能表示を行い、タッチ部１２Ｃおよび１２Ｄには取り敢えず機能を表示せずにおき、もしスイッチ１３Ｃおよび１３Ｄを使用する場合は表示を追加するようにすることができる。また、タッチ部１２Ａ〜１２Ｄの表面に伸縮自在の透明シートを張り、抜き取り部分から埃が入らないように構成してもよい。
【００１３】
図２は、このようなタッチスイッチ装置１を、インターホン装置の親機端末３の機能スイッチ部３１として装着した状態を示す外観斜視図である。この機能スイッチ部３１によってドアー開閉、ドアー鍵制御等の各種機能の入り切りや、動作を制御するように構成されている。
【００１４】
ところで、前述したように、インターホン装置を設置した家庭あるいは事務所では、子機端末との接続のほかに、例えば監視カメラ制御は使用するが、照明制御およびドアー鍵制御は使用しない場合がある。そこで、そのような使用しない機能に対応するタッチ部が可動しないように、図１（ａ）に破線で示すように、使用しないタッチ部（例えばタッチ部１２Ｃ、１２Ｄ）の上に、押しても変形しない固い薄板２を取り付けるように構成した。
【００１５】
図３は、そのような薄板２を、親機端末３の機能スイッチ部３１にすでに装着したスイッチパネル１１上に取り付けるための構成図である。
【００１６】
同図において、スイッチパネル１１の使用しないタッチ部１２Ｃ、１２Ｄの両横に、両面接着テープ１１ａ、１１ｂを貼り付け、上方から薄板２を押しつけることで、図４に示すように、薄板２をスイッチパネル１１の表面に貼り付けるものである。
【００１７】
こうして使用しないタッチ部１２Ｃ、１２Ｄの上に固い薄板２を貼り付けたので、薄板２の下のスイッチ１３Ｃ、１３Ｄは不使用スイッチとなる。しかし、メンテナンス時やタッチ部１２Ｃ、１２Ｄの機能を復活したいときは、薄板２を剥がすことで容易に実現できる。
【００１８】
なお、薄板２とスイッチパネル１１との接着は、これに限らず、薄板２の裏面に両面接着剤を塗布し、あるいはテープ状で備えておき、使用するときに接着剤の表面のカバーを取ることで薄板２をスイッチパネル１１に貼り付けるように構成してもよい。
【００１９】
図５は、薄板２を、親機端末３の機能スイッチ部３１に装着したスイッチパネル１１の表面に取り付けるための他の構成図である。
【００２０】
同図において、スイッチパネル１１の中心部および各短辺の中央部の３箇所に突起部１１ｃ、１１ｄ、１１ｅを設け、薄板２の各短辺の中央部に取付穴２ａ、２ｂを穿設し、この取付穴２ａ、２ｂに突起部１１ｄ、１１ｅを挿入することで薄板２をスイッチパネル１１に取り付けるものである。図６に薄板２をスイッチパネル１１に取り付けた状態を示す。
【００２１】
この場合、突起部１１ｃ〜１１ｅの外径に対し取付穴２ａ〜２ｂの内径をやや小さくし、両者が摩擦で入る寸法関係とすることで、少ない突起部と取付穴との固定でも、薄板２が落下しないように構成することができる。
【００２２】
こうして使用しないタッチ部１２Ｃ、１２Ｄの上に固い薄板２を取り付けたので、薄板２の下のスイッチ１３Ｃ、１３Ｄは不使用スイッチとなる。しかし、メンテナンス時やタッチ部１２Ｃ、１２Ｄの機能を復活したいときは、突起部１１ｃ〜１１ｅと取付穴２ａ〜２ｂとの嵌合だけなので、薄板２を取り外すことがで容易に実現できる。
【００２３】
なお、スイッチパネル１１に設ける突起部を、各タッチ部１２Ａ〜１２Ｄの前後に総て用意すれば、各タッチ部１２Ａ〜１２Ｄ毎に薄板２を取り付けることができる。さらに、スイッチパネル１１に設ける突起部を、タッチ部の上下ではなく左右に備えてもよい。この場合は薄板２の長辺側に取付穴を穿設することになる。
【００２４】
以上の実施の形態では、タッチスイッチ装置１を構成するスイッチパネル１１の表面に薄板２を取り付けることによって使用しないタッチ部を覆い隠し、その下のスイッチを不使用スイッチに設定したが、スイッチパネル１１の構成を工夫することにより、使用しないタッチ部の下のスイッチを不使用スイッチに設定する他の実施の形態について説明する。
【００２５】
前述したように、スイッチパネル１１上に形成したタッチ部１２Ａ〜１２Ｄは支点部１２ａ以外の枠部分を切り抜いて形成したものである。
【００２６】
そこで、図７（ａ）に示すように、抜き加工時に支点部１２ａと対向する辺の中央部を抜き取らずにブリッジ部１２ｂとして残しておき、可動させるタッチ部のブリッジ部１２ｂは後加工で取り除き、可動させないタッチ部のブリッジ部１２ｂはそのままにしておく。図７（ｂ）は、そのようにして構成したスイッチパネル１１の構成図で、この例ではタッチ部１２Ａ、１２Ｂが可動し、タッチ部１２Ｃ、１２Ｄが可動しない構成となっている。
【００２７】
図８は、スイッチパネル１１を目的別に複数個用意し、例えばタッチ部１２Ａおよび１２Ｃのみを設けたスイッチパネル１１Ａ（図ａ）、タッチ部１２Ｃおよび１２Ｄのみを設けたスイッチパネル１１Ｂ（図ｂ）、タッチ部１２Ａおよび１２Ｂのみを設けたスイッチパネル１１Ｃ（図ｃ）を用意し、この中から使用するタッチ部を有するスイッチパネルを選択して取り付けることで、所望のタッチスイッチ装置１を得るように構成した実施の形態である。
【００２８】
次に、スイッチパネル１１（１１Ａ〜１１Ｃも含む）を、親機端末３の機能スイッチ部３１に取り付ける構成について説明する。
【００２９】
図９は、親機端末３の機能スイッチ部３１に予め装着されているスイッチ１３Ａ〜１３Ｄの上に、スイッチパネル１１を取り付けてタッチスイッチ装置１を構成するための構成図である。
【００３０】
同図に示すように、機能スイッチ部３１は親機端末３の筐体に穿設された装着孔３１ａ内にスイッチ１３Ａ〜１３Ｄを取り付け、その周囲に設けたパネル面よりやや低い段部３１ｂの上にスイッチパネル１１を載置する構成となっている。スイッチパネル１１は段部３１ｂ上に貼り付けた両面接着テープ３１ｃ、３１ｄによって固定される。
【００３１】
この構成によれば、メンテナンス時や機能スイッチ部３１の機能を変更したときに、スイッチパネル１１を容易に取り外すことができ、機能変更をスイッチパネル１１の交換で容易に行うことができる。なお、機能スイッチ部３１の段部３１ｂに両面接着テープ３１ｃ、３１ｄを設けずに、スイッチパネル１１の裏面に設けるように構成してもよい。
【００３２】
図１０は、親機端末３の機能スイッチ部３１に予め装着されているスイッチ１３Ａ〜１３Ｄの上に、スイッチパネル１１を取り付けてタッチスイッチ装置１を構成するための他の実施の形態を示す構成図である。
【００３３】
同図に示すように、機能スイッチ部３１の装着孔３１ａの各短辺にそれぞれ挿入孔３１ｅ、３１ｆを穿設し、短冊状のスイッチパネル１１の短辺に突起片１１ｆ、１１ｇを設け、この突起片１１ｆ、１１ｇを挿入孔３１ｅ、３１ｆに挿入することでスイッチパネル１１を機能スイッチ部３１に取り付ける構成となっている。
【００３４】
この構成においても、メンテナンス時や機能スイッチ部３１の機能を変更したときにスイッチパネル１１を容易に取り外すことができ、機能変更をスイッチパネル１１の交換で容易に行うことができる。なお、スイッチパネル１１の突起片および機能スイッチ部３１の挿入孔は必要に応じて４カ所あるいは６カ所と増設し、取り付け精度をあげるようにしてもよい。
【００３５】
図１１は、親機端末３の機能スイッチ部３１に予め装着されているスイッチ１３Ａ〜１３Ｄの上に、スイッチパネル１１を機能スイッチ部３１に取り付けてタッチスイッチ装置１を構成するための他の実施の形態を示す構成図である。
【００３６】
同図に示すように、機能スイッチ部３１の段部３１ｂの各短辺の中央部に突起部３１ｇ、３１ｈを設け、短冊状のスイッチパネル１１の各短辺の中央部に取付穴１１ｈ、１１ｉを穿設し、この取付穴１１ｈ、１１ｉに突起部３１ｇ、３１ｈを挿入することでスイッチパネル１１を機能スイッチ部３１に取り付ける構成となっている。
【００３７】
この構成においても、メンテナンス時や機能スイッチ部３１の機能を変更したときにスイッチパネル１１を容易に取り外すことができ、機能変更をスイッチパネル１１の交換で容易に行うことができる。
【００３８】
この場合、取付穴１１ｈ、１１ｉの内径を突起部３１ｇ、３１ｈの外径に対して若干小さい径とすれば、スイッチパネル１１を機能スイッチ部３１に取り付ける際に、両者の摩擦力によってスイッチパネル１１が機能スイッチ部３１に固定されることになる。
【００３９】
図１２は、スイッチパネル１１の他の実施の形態を示す構成図で、タッチ部１２Ａ〜１２Ｄの形状を四角形以外の形状に構成したもので、例えばタッチ部１２Ａは丸形、タッチ部１２Ｂは菱形、タッチ部１２Ｃは楕円形、タッチ部１２Ｄは三角形としたものである。この構成によれば、指の感触でタッチ部の形状を認識し、そのスイッチ部の用途が分かるタッチスイッチ装置を得ることが出来る。
【００４０】
以上のように、本発明の実施の形態によるタッチスイッチ装置は、全てのスイッチを動作させることで全ての機能を制御することができるが、使用しない機能がある場合は、その機能に対応するスイッチが動作しては具合が悪いこともあるので、使用しないスイッチに対向するタッチ部に薄板を取り付けることにより、あるいは抜き加工時にブリッジ部を残すことにより、またはスイッチパネルを交換することにより、使用しない機能のスイッチが動作しないように構成した。
【００４１】
しかも、薄板やスイッチパネルは容易に取り外すことができるので、機能の変更または追加により、使用しなかったスイッチを使用できるように容易に設定変更することができる。
【００４２】
さらに、メンテナンス時に全てのスイッチの機能を確認する場合も、薄板やスイッチパネルを容易に取り外すことができ、機能確認後、再び薄板やスイッチパネルを容易に取り付けることができる。
【００４３】
また、本発明のタッチスイッチ装置を、例えばインターホン装置を構成する親機端末の機能スイッチ部に使用すれば、多くの機能の一部だけを使用するとき、使用しないスイッチのタッチ部が可動しないように構成することで、不要な機能のスイッチを操作できないようにすることができ、将来使用する場合は容易に設定変更できるので、使用者の要求にフレキシブルに対応することができる。
【００４４】
しかも、設定変更は内部回路の設定変更なしに実現することができ、すでにある機能で使用していない機能を使用者が使用したいときは、薄板をとり外すことなどにより容易に実現することができる。
【００４５】
なお、前述の実施の形態では、タッチスイッチとして説明しているが、スライドスイッチ、プッシュスイッチ等の他のスイッチであっても構わない。
【００４６】
【発明の効果】
以上説明したように、本発明はスイッチパネルに形成した複数のタッチ部の中から、使用しないスイッチに対向するタッチ部は押圧によって可動しないように構成したので、多数の機能または全ての機能に対応する複数のスイッチの中から使用者の要望に応じて使用する機能に対応するスイッチのみを選択することができるタッチスイッチ装置を提供することができるものである。
【図面の簡単な説明】
【図１】本発明によるタッチスイッチ装置の一実施の形態を示す正面図（ａ）、側面図（ｂ）および一部拡大図（ｃ）
【図２】本発明によるタッチスイッチ装置を装着したインターホン装置の親機端末を示す外観斜視図
【図３】親機端末に装着したスイッチパネル上に薄板を取り付けるための構成図
【図４】親機端末に装着したスイッチパネル上に薄板を取り付けた状態を示す構成図
【図５】親機端末に装着したスイッチパネル上に薄板を取り付けるための他の構成図
【図６】親機端末に装着したスイッチパネル上に薄板を取り付けた状態を示す他の構成図
【図７】タッチ部にブリッジ部を残して抜き加工したスイッチパネル（ａ）と、一部のブリッジ部を取り除いたスイッチパネル（ｂ）とを示す構成図
【図８】タッチ部の位置が互いに異なる複数のスイッチパネルを示す構成図
【図９】親機端末に装着したスイッチ上にスイッチパネルを取り付けるための構成図
【図１０】親機端末に装着したスイッチ上にスイッチパネルを取り付けるための他の構成図
【図１１】親機端末に装着したスイッチ上にスイッチパネルを取り付けるための他の構成図
【図１２】タッチ部の形状が異なるスイッチパネルの構成図
【図１３】親機端末に複数の装置が接続された状態を示すインターホン装置の構成図
【符号の説明】
１                            タッチスイッチ装置
２                            薄板
２ａ、２ｂ                    取付穴
３                            親機端末
１１、１１Ａ、１１Ｂ、１１Ｃ    スイッチパネル
１１ａ、１１ｂ                  両面接着テープ
１１ｃ、１１ｄ、１１ｅ          突起部
１１ｆ、１１ｇ                  突起片
１１ｈ、１１ｉ                  取付穴
１２Ａ、１２Ｂ、１２Ｃ、１２Ｄ  タッチ部
１２ａ                          支点部
１２ｂ                          ブリッジ部
１３Ａ、１３Ｂ、１３Ｃ、１３Ｄ  スイッチ
１３ａ                          スイッチボタン
３１                            機能スイッチ部
３１ａ                          装着孔
３１ｂ                          段部
３１ｃ、３１ｄ                  両面接着テープ
３１ｅ、３１ｆ                  挿入孔
３１ｇ、３１ｈ                  突起部
【図１】
0004491927.tif 000002
【図２】
0004491927.tif 000003
【図３】
0004491927.tif 000004
【図４】
0004491927.tif 000005
【図５】
0004491927.tif 000006
【図６】
0004491927.tif 000007
【図７】
0004491927.tif 000008
【図８】
0004491927.tif 000009
【図９】
0004491927.tif 000010
【図１０】
0004491927.tif 000011
【図１１】
0004491927.tif 000012
【図１２】
0004491927.tif 000013
【図１３】
0004491927.tif 000014